(57)【要約】本発明は、回転運動させられることを意図された情報担体（１０１）であって、画像データを表示する表示手段（１０２）と、前記回転運動を動き補償するために前記画像データに適用される動き補償手段（１０３）とを有する情報担体（１０１）に関する。用途は、光ディスク／光ディスクプレーヤーである。
2006509314.tif 000002
【特許請求の範囲】
【請求項１】
回転運動させられることを意図された情報担体であって、
画像データを表示する表示手段と、
前記回転運動を動き補償するために前記画像データに適用される動き補償手段と、
を有する情報担体。
【請求項２】
前記画像データを保存するためのメモリ装置を有する、請求項１に記載の情報担体。
【請求項３】
情報担体再生装置から前記画像データを受信するための非接触手段を有する、請求項２に記載の情報担体。
【請求項４】
前記情報担体の角位置を算出するための算出手段を有するか、又は前記角位置が前記情報担体再生装置から前記非接触手段によって受信される、請求項３に記載の情報担体。
【請求項５】
前記表示手段は直交したパターンに配置された画素マトリクスに対応する、請求項１乃至４のいずれか一項に記載の情報担体。
【請求項６】
前記表示手段は円形のパターンに配置された画素マトリクスに対応する、請求項１乃至４のいずれか一項に記載の情報担体。
【請求項７】
前記表示手段は高分子ＬＥＤディスプレイ又は液晶ディスプレイによって形成される、請求項１乃至６のいずれか一項に記載の情報担体。
【請求項８】
請求項１に記載の情報担体に画像データを送信するための非接触手段を有する、情報担体を再生する再生装置。
【請求項９】
前記情報担体の角位置を算出するための算出手段を有し、前記角位置は前記非接触手段によって前記情報担体に送信される、請求項８に記載の再生装置。
【発明の詳細な説明】
【技術分野】
【０００１】
本発明は、回転運動させられるように意図された情報担体に関する。
【０００２】
本発明はまた、かような情報担体を再生する再生装置に関する。
【０００３】
本発明は、再生装置において、光ディスク上で静止画像を表示する光ディスクの分野において利用され得る。
【背景技術】
【０００４】
光ディスクのような情報担体は、読み取り面と反対側の面に描かれた可視のデータを有する。とりわけ、可視のデータはレコードのレーベル又はテーブル・オブ・コンテンツ（ＴＯＣ）に対応する。これらのデータは、ディスクが回転していないときにしかユーザにとって見ることができない。
【０００５】
特開平１１−２５０６４４は、回転しているときにディスクのレーベルを見ることを可能とする手段を有するディスクプレイヤを開示している。この目的のため、前記プレイヤは、回転毎に１度レーベル面をフラッシュ照明し、それにより残像が連続的にされレーベルが見掛け上静止画像として見える。ここでは可視情報を統合する人間の目の特性が利用されている。
【発明の開示】
【発明が解決しようとする課題】
【０００６】
当該先行技術文献に記載されたようなディスクプレイヤは、技術的な限界を持つ。
【０００７】
フラッシュ手段の利用は、プレイヤ中の多くの空間をとり、従ってこの方法は、減少されたサイズのディスクプレイヤのような消費者向け製品においては利用されることができない。
【０００８】
更に、フラッシュ手段は電力を消費するものである。
【０００９】
最後に、フラッシュ手段を利用することは、ディスクに予め印刷された画像しか表示しない。
【００１０】
本発明の目的は、回転しているときに見掛け上の静止画像を表示することができる情報担体を提案することにある。
【課題を解決するための手段】
【００１１】
この目的のため、前記情報担体は、
画像データを表示する表示手段と、
前記回転運動を動き補償するために前記画像データに適用される動き補償手段と、
を有する。
【００１２】
前記動き補償は、ディスク再生装置を目視しているユーザにとって表示される画像が静止して見えるように、回転の効果を相殺することが可能である。見掛け上の静止画像を得るための手段は、ディスク自体に直接配置される。従って、かような方法はフラッシュ手段をもはや必要とせず、本発明による情報担体を再生するように意図された再生装置のサイズを削減することを可能とする。
【００１３】
好適な実施例においては、前記情報担体は前記画像データを保存するためのメモリ装置を有する。
【００１４】
当該メモリ装置は、例えばディスクのレーベル、ＴＯＣ又は演奏者の画像と言ったような、前記情報担体に関連する画像データを保存する。
【００１５】
好適な実施例においては、前記情報担体は、情報担体再生装置から前記画像データを受信するための非接触手段を有する。
【００１６】
当該特徴は、ディスク上に表示される画像の内容をユーザがパーソナライズ及び変更することを可能とする。例えばＣＤオーディオ情報担体は、前記再生装置によって送信される、音楽に従って変化する色パターン又はその他の画像データ（若しくは画像データのシーケンス）を受信しても良い。
【００１７】
好適な実施例においては、前記情報担体は、前記情報担体の角位置を算出する算出手段、及び／又は情報担体再生装置から前記角位置を受信する非接触手段を有する。
【００１８】
前記表示手段の角位置は、見掛け上の静止画像を確実なものとするために、画像データの動き補償を周期的に実行するために利用される。
【００１９】
前記角位置を算出するための算出手段が前記情報担体に実装された場合、前記再生装置とのデータ交換は限定され、かような装置の複雑さを減少させることが可能である。更にこのことは、本発明による情報担体の既存の再生装置における利用を容易化する。
【００２０】
前記角位置を算出するための算出手段が前記再生装置に実装された場合、本発明による情報担体のコストが低減される。
【００２１】
好適な実施例においては、前記表示手段は直交したパターンに配置された画素マトリクスに対応する。
【００２２】
好適な実施例においては、前記表示手段は円形のパターンに配置された画素マトリクスに対応する。
【００２３】
好適な実施例においては、前記表示手段は高分子ＬＥＤディスプレイによって形成される。
【００２４】
これらのディスプレイは、画像データの内容を再生することが可能である一方、容易なアドレシング及び／又は前記情報担体の小さな厚さを保証する。これらのディスプレイがＬＥＤディスプレイ（発光ダイオード）又はＬＣＤ（液晶ディスプレイ）に対応する場合、電力消費がかなり低減させられる。
【００２５】
本発明はまた、上述したような情報担体に画像データを送信するための非接触手段を有する情報担体再生装置に関する。
【００２６】
好適な実施例においては、前記再生装置は前記情報担体の角位置を算出するための算出手段を有し、前記角位置は前記非接触手段によって前記情報担体に送信される。
【００２７】
本発明の詳細な説明及び他の態様は以下に示される。
【発明を実施するための最良の形態】
【００２８】
本発明の特定の態様が、以下に記載される実施例を参照しながら説明され、添付する図と共に考慮される。ここで同一の部分又はサブステップは、同一の方法で示される。
【００２９】
図１は、本発明による情報担体１０１の構造を示す。前記情報担体は、回転させられることを意図されたものである。当該情報担体は例えば、ＣＤオーディオ、ＤＶＤ又は他のいずれかの光ディスクに対応する。
【００３０】
情報担体１０１は、ディジタル画像データを表示するための表示手段１０２を有する。表示手段１０２は情報担体１０１に相互依存し、レーザビームにより実行される読み取り動作が妨害されないように、情報担体１０１の表面にマッピングされる。
【００３１】
情報担体１０１はまた、回転運動を周期的に動き補償するための、画像データに適用される動き補償手段を有する。かような動き補償手段は好ましくは、前記ディスクの通常の読み取り／書き込み動作が妨害されないような位置に配置された集積回路１０３に実装される。有利にも、前記集積回路は、前記ディスクの付加的な力学的不均衡を回避するために、及びＩＣ（前記表示装置を担当するＩＣ）の位置の（例えば光学的な）検出を容易化するために、前記情報担体の中央穴の近くに配置される。好適な位置は、情報と前記情報担体のクランプエリアとの間である。
【００３２】
前記動き補償の原理は、前記情報担体の回転の間、前記画像データを構成する画素（画像の要素）の座標を周期的に再計算し、それにより外部の観測者にとって前記画素が見掛け上同一の空間座標に表示されるようにすることである。
【００３３】
例えば、時間Ｔ０において、ディスプレイ１０２に関連する基準座標系（ｘ，ｙ）において座標（ｘ０，ｙ０）を持つ画素値Ｐ０の表示を考える。角速度ωｒａｄ／ｓでの前記情報担体の回転を考えると、時間（Ｔ０＋ΔＴ）において、基準軸（ｘ，ｙ）は角φ＝ωΔＴだけ回転している。角φは、情報担体１０１の絶対角位置を定義する。同一の見掛け上の位置において画素Ｐ０を表示するために、画素Ｐ０が表示されるべき新たな座標（ｘ１，ｙ１）を決定するために、座標（ｘ０，ｙ０）に対して変換が実行される必要がある。
【００３４】
当該変換は、座標（ｘ０，ｙ０）に対して実行される、角−φだけの回転であり、以下の式によって記述されることができる。
ｘ１＝ｉｎｔ（ｘ０・ｃｏｓφ＋ｙ０・ｓｉｎφ）                  式１
ｙ１＝ｉｎｔ（ｙ０・ｃｏｓφ−ｘ０・ｓｉｎφ）                  式２
ここで、ｉｎｔ（Ｚ）はＺに最も近い整数値であり、整数の座標を得るためのものである。
【００３５】
当該回転変換は、表示されるべき画素が極座標（ｒ，σ）で表現される場合には、より簡単に記述され得る。ここでｒは半径であり、σは軸ｘに対する角度である。かような場合においては、画素Ｐ０（ｒ０，σ０）の新たな座標（ｒ１，σ１）は、ｒ１＝ｒ０及びσ１＝σ０−φとなるようなものである。
【００３６】
前記動き補償は有利にも、ディスク回転数の整数Ｎ倍回実行される。Ｎは、連続的な見掛け上の静止画像を保証するように設定される。
【００３７】
ディスプレイ１０２は、図３Ａに示されるような直交したパターンで配置された画素マトリクスに対応しても良い。
【００３８】
有利にも、ディスプレイ１０２は、図３Ｂに示される（理解を容易にするために限られた数の画素表示素子しか示していない）ような円形のパターンで配置された画素マトリクスに対応しても良い。この代替例は、前記回転変換により導出される新たな画素座標が極座標で直接表現されることができ、アドレシングを容易にするため、有利である。
【００３９】
両方の場合において、ディスプレイ１０２は、薄く、柔軟で且つ軽量であるという特性を持つＬＥＤディスプレイ（発光ダイオード）によって形成される。とりわけ前記ディスプレイは有利にもPolyLEDディスプレイとして知られる高分子ＬＥＤディスプレイである。薄く軽量である反射型液晶ディスプレイ（ＬＣＤ）が利用されても良いが、外部的に照明される必要がある。
【００４０】
図２は、本発明による情報担体２０１に実装される処理手段、及び情報担体２０１が挿入され再生されることが意図された再生装置２０２に実装される処理手段を示す。
【００４１】
情報担体２０１と再生装置２０２とは、非接触手段２０３及び２０４によって通信する。非接触手段２０３は前記再生装置に実装され、非接触手段２０４は集積回路２０５（図１における１０３）及び／又はその周囲に実装される。かような非接触手段を実装するため、以下のような種々の技術的な手法が利用され得る。
−誘導性手法：前記再生装置に実装されたコイルによって送信され、前記情報担体に実装されたコイルによって受信される、小さいＭＨｚ（好ましくは１３．５６ＭＨｚ）で交番する磁束を利用する。
−容量性手法：交番する高電圧の電束と前記情報担体及び前記再生装置の両方に実装されたアンテナ板を利用する。
−ＲＦ（radio frequency）手法：前記再生装置におけるアンテナを用い、高周波数（数ＧＨｚ）の電磁放射を利用する。前記情報担体に実装されるアンテナは用いても用いなくても良い。
−光結合手法。
【００４２】
集積回路２０５は、ディスプレイ２０７に表示されるべき画像データを保存するためのメモリ装置２０６を有する。前記画像データは、最初に前記情報担体の発行者によって保存されても良いし（この場合にはＲＯＭメモリが有利に利用され得る）、前記再生装置から非接触手段２０３及び２０４によってリアルタイムに受信されても良い（この場合にはＲＡＭメモリが有利に利用され得る）。前記画像データは、デカルト座標か又は極座標かのいずれかを利用して保存されても良い。前記画像データは生フォーマット（ビットマップのような）であっても良いし、符号化されたフォーマット（ＪＰＥＧフォーマットのような）であっても良い。後者の場合においては、前記情報担体は、かような符号化された画像データを復号化するための復号化手段（図示されていない）を有する。
【００４３】
前記画像データは例えば、再生される音楽に従って色が変化するパターン、又はその他のユーザによって目視されることが意図される情報（テキスト、画像、グラフィクス、画像のシーケンス、更新されたＴＯＣ等）に対応しても良い。
【００４４】
情報担体２０１の絶対角位置φは、チップ２０５に含まれる算出手段２０８によって決定されても良いし、又は代替として前記再生装置に含まれる算出手段２０９によって決定されても良い。後者の場合においては、角位置φは、前記再生装置から非接触手段２０３及び２０４によって前記情報担体に送信される。絶対角位置φを決定するため、以下のような種々の技術的な手法が利用され得る。
−ディスク読み出しスポット（前記情報担体の読み取り側における光マーカ）によるディスプレイ２０７の位置の光検出。
−前記情報担体のウォブルアドレスから。
−更なる検出手段（近接検出器として利用される光又は磁気手段）によるディスプレイ２０７の位置の光検出。
−前記情報担体を回転させるように意図された回転モータのタコメータを利用する。
−例えば静止光スポットを検出するためのフォトダイオードのような、チップ上又はディスプレイ上の検出手段により得られる回転毎に１パルスの信号（１ＰＰＯ）を利用する。
【００４５】
動き補償手段２１０は、メモリ２０６に保存された画像データに適用される。動き補償手段２１０はとりわけ、チップ２０５に組み込まれた信号プロセッサによって実行されるソフトウェアプログラムのコード命令に対応する。動き補償手段２１０は、絶対角位置φを受信し、表示されるべき画像の画素に対して回転変換を実行する。また動き補償手段２１０は、どの周波数ｆ（ｆ＝１／ΔＴ）でかような回転変換が実行される必要があるかを示すクロック信号ＣＬＫをも受信する。
【００４６】
動き補償手段２１０によって画素の全ての新たな座標が算出されると、前記画素はディスプレイ２０７の駆動（アドレシング動作、データのバッファリング等）を担当するディスプレイドライバ２１１に送信される。
【００４７】
情報担体２０１に実装された全ての処理手段及び表示手段のための電力ＶＣＣは、非接触手段２０３及び２０４によって、又はディスク上のバッテリによって供給される。
【００４８】
前記情報担体が回転していないが、前記非接触手段からエネルギーを受信している場合には、前記画像は従来の方法で、即ち例えば画像データに対する動き補償を実行せずに表示される。前記情報担体が非接触手段からエネルギーを受信していない（即ちパワーが除去された）場合は、画像情報を保持する特性を持つディスプレイ２０７を利用することが有利となり得る。かようなディスプレイは「電子ペーパー」として知られる。
【００４９】
前記情報担体が前記ディスプレイによって完全にカバーされる場合、前記情報担体が回転していること、及び前記再生装置が読み取り又は書き込みモードであることを知ることが困難となり得る。それ故、前記情報担体に、特定の角位置に配置された点や線の形のような、可視のマークを付加することが有利となり得る。回転しているときには、当該マークは視覚的に連続的に見え、前記ディスプレイがスイッチオフされているときには前記マークが前記情報担体上にはっきりと見えるようになる。
【図面の簡単な説明】
【００５０】
【図１】本発明による情報担体を示す。
【図２】本発明による情報担体に実装される処理手段と、該情報担体が挿入されることが意図された本発明による再生装置に実装される処理手段とを示す。
【図３（Ａ）】第１のタイプのディスプレイを備えた本発明による情報担体を示す。
【図３（Ｂ）】第２のタイプのディスプレイを備えた本発明による情報担体を示す。
【図１】
2006509314.tif 000003
【図２】
2006509314.tif 000004
2006509314.tif 000005
【国際調査報告】
2006509314.tif 000006
2006509314.tif 000007
2006509314.tif 000008